(57)【要約】【課題】  視聴者の興味がないチャンネルの電子番組表を表示しないようにしてスクロール操作の操作量が少なくて済むようにしたデジタルテレビジョン装置を提供する。【解決手段】  表示装置２１と、各種の操作信号を入力するリモコン１１、チャンネルのスキップ情報が設定されるプリセット情報保存部１４と、リモコン１１による電子番組表の表示操作があると、リモコン１１による操作信号に基づいてプリセット情報保存部１４にスキップ設定がなされていないチャンネルを選択し、選択されたチャンネルの電子番組表を表示装置２１に表示させるＥＰＧ情報処理部１７とを備えたものであり、スキップ設定がなされていないチャンネルの電子番組表に絞って表示装置２１に表示する。【選択図】        図１
2006197083.tif 000002
【特許請求の範囲】
【請求項１】
表示装置と、
各種の操作信号を入力する操作部と、
チャンネルのスキップ情報が設定されているプリセット情報保存部と、
前記操作部による電子番組表の表示操作があると、該操作部による操作信号に基づいて、前記プリセット情報保存部にスキップ設定がなされていないチャンネルを選択し、該選択されたチャンネルの電子番組表を前記表示装置に表示させるＥＰＧ情報処理部と
を備えたことを特徴とするデジタルテレビジョン装置。
【請求項２】
受信信号をチューニング処理をするチューナーを備え、
前記ＥＰＧ情報処理部は、前記チューナーから電子番組情報を取り込んで、前記表示装置に電子番組表を表示させることを特徴とする請求項１記載のデジタルテレビジョン装置。
【請求項３】
前記ＥＰＧ情報処理部は、前記表示装置に表示されているチャンネルを含めて所定数のチャンネルの電子番組表を前記表示装置に表示させることを特徴とする請求項１又は２記載のデジタルテレビジョン装置。
【請求項４】
前記ＥＰＧ情報処理部は、前記表示装置に所定数のチャンネルの電子番組表が表示されている状態で、前記操作部によるスクロール操作があると、該操作部による操作信号に応じて、前記プリセット情報保存部にスキップ設定がなされていないチャンネルを選択し、該選択されたチャンネル電子番組表を前記表示装置に表示させることを特徴とする請求項３記載のデジタルテレビジョン装置。
【請求項５】
前記ＥＰＧ情報処理部は、前記電子番組表を前記表示装置に表示されているチャンネルの映像上に表示させることを特徴とする請求項１〜４の何れかに記載のデジタルテレビジョン装置。
【請求項６】
前記操作部によるチャンネルのスキップ情報の設定操作があると、該操作部によるスキップ情報の入力を前記表示装置に表示させるとともに、前記プリセット情報保存部に設定する設定処理部を更に備えたことを特徴とする請求項１〜５の何れかに記載のデジタルテレビジョン装置。
【請求項７】
前記操作部によるアップダウン選局操作があると、該操作部によるアップ又はダウンの操作信号に応じて、前記プリセット情報保存部にスキップ設定がなされていないチャンネルを選択して前記チューナーに選局させ、当該チャンネルの映像を前記表示装置に表示させる選局処理部を更に備えたことを特徴とする請求項２〜６の何れかに記載のデジタルテレビジョン装置。
【発明の詳細な説明】
【技術分野】
【０００１】
本発明はデジタルテレビジョン装置に関し、特にその電子番組表（ＥＰＧ）の表示に関する。
【背景技術】
【０００２】
近年のテレビ放送はＢＳデジタル放送、ＣＳデジタル放送、地上デジタル放送、地上アナログ放送と多様化してきており、各放送におけるチャンネルも多いが、視聴するためには契約が必要な場合が多い。電子番組表（ＥＰＧ：Electric Program Guide）を表示する場合には、通常、受信可能な放送チャンネル全てを一覧表示する。チャンネルが多い場合には、画面をスクロールしなければならない。実際には視聴していない未契約の有料チャンネルも表示されることになるので、更にスクロール操作回数が増えるという問題点があった。このような問題点を解決するものとして、例えば未契約のチャンネルを電子番組表の表示から外すようにしたものが提案されている（例えば特許文献１参照）。この方法では、視聴しない未契約のチャンネルは表示しないので希望のチャンネルを調べるまでのスクロール操作が少なくて済む。
【特許文献１】特開２００２−２５２８１７号公報
【発明の開示】
【発明が解決しようとする課題】
【０００３】
しかし、契約しているチャンネルの全てを視聴するとは限らない。通常は、それぞれのチャンネルを個別に契約するよりもいくつかのまとまったチャンネルをパック契約することが多いので、中には視聴者の好みに合わないものが含まれていることがある。このため、従来の方法（特許文献１）では単に契約しているかどうかを電子番組表の表示基準にしているので、視聴しないチャンネルを表示させないようにすることはできない、という問題点があった。
【０００４】
本発明は、このような問題点を解決するためになされたものであり、視聴者の興味がないチャンネルの電子番組表を表示しないようにしてスクロール操作の操作量が少なくて済むようにしたデジタルテレビジョン装置を提供することを目的とする。
【課題を解決するための手段】
【０００５】
本発明に係るデジタルテレビジョン装置は、表示装置と、各種の操作信号を入力する操作部と、チャンネルのスキップ情報が設定されているプリセット情報保存部と、前記操作部による電子番組表の表示操作があると、該操作部による操作信号に基づいて、前記プリセット情報保存部にスキップ設定がなされていないチャンネルを選択し、該選択されたチャンネルの電子番組表を前記表示装置に表示させるＥＰＧ情報処理部とを備えたものである。本発明においては、スキップ設定がなされていないチャンネルの電子番組表に絞って表示装置に表示するようにしており、例えば視聴者の興味のないチャンネルについては前記プリセット情報保存部にスキップ設定をしておくことにより、視聴者の興味がないチャンネルについてはスキップさせ、興味のあるチャンネルだけを電子番組表に表示するようにしており、このため、電子番組表を見る際のスクロール操作の操作量が少なくて済むという効果が得られる。
【０００６】
本発明に係るデジタルテレビジョン装置は、受信信号をチューニング処理をするチューナーを備え、前記ＥＰＧ情報処理部は、前記チューナーから電子番組情報を取り込んで、前記表示装置に電子番組表を表示させるようにしている。
【０００７】
また、本発明に係るデジタルテレビジョン装置において、前記ＥＰＧ情報処理部は、前記表示装置に表示されているチャンネルを含めて所定数のチャンネルの電子番組表を前記表示装置に表示させる。このため、現在映像が表示されているチャンネルに隣接したチャンネルの電子番組表を把握することができる。
【０００８】
また、本発明に係るデジタルテレビジョン装置において、前記ＥＰＧ情報処理部は、前記表示装置に所定数のチャンネルの電子番組表が表示されている状態で、前記操作部によるスクロール操作があると、該操作部による操作信号に応じて、前記プリセット情報保存部にスキップ設定がなされていないチャンネルを選択し、該選択されたチャンネルの電子番組表を前記表示装置に表示させる。本発明においては、操作部によるスクロール操作により、電子番組表をスクロールすることができるが、その際に視聴者の興味がないチャンネルについては表示されないので操作量が少なくて済む。
【０００９】
また、本発明に係るデジタルテレビジョン装置において、前記ＥＰＧ情報処理部は、前記電子番組表を前記表示装置に表示されているチャンネルの映像上に表示させる。電子番組表を映像上に表示するようにしているので、現在の受信中のチャンネルの映像内容を把握しつつ、電子番組表の内容を確認することができる。
【００１０】
本発明に係るデジタルテレビジョン装置は、前記操作部によるチャンネルのスキップ情報の設定操作があると、該操作部によるスキップ情報の入力を前記表示装置に表示させるとともに、前記プリセット情報保存部に設定する設定処理部を更に備えたものである。本発明において、設定処理部は、操作部によるスキップ情報の入力を前記表示装置に表示させるとともに、プリセット情報保存部に設定するようにしているので、視聴者にとって所望のスキップ情報を簡単に設定することが可能になっている。
【００１１】
本発明に係るデジタルテレビジョン装置は、前記操作部によるアップダウン選局操作があると、該操作部によるアップ又はダウンの操作信号に応じて、前記プリセット情報保存部にスキップ設定がなされていないチャンネルを選択して前記チューナーに選局させ、当該チャンネルの映像を前記表示装置に表示させる選局処理部を更に備えたものである。本発明においては、選局処理部がスキップ設定されたチャンネルをスキップして、スキップ設定されていないチャンネルを選局するので、視聴者にとって操作性に優れたものとなっている。
【発明を実施するための最良の形態】
【００１２】
実施形態１．
図１は本発明の実施形態１に係るデジタルテレビジョン装置の構成を示すブロック図である。このデジタルテレビジョン装置は、図１に示されるように、リモコン１１、キー入力処理部１２、設定処理部１３、プリセット情報保存部１４、選局処理部１５、チューナー１６、ＥＰＧ情報処理部１７、映像音声処理部１８、映像出力部１９、音声出力部２０、表示装置２１及びスピーカー２２から構成されている。リモコン１１は、選局ボタン（ダイレクト選局ボタン、アップダウン選局ボタン）、電子番組表を表示させるためのＥＰＧボタン等の各種ボタン（キー）を備えており（後述の図２参照）、視聴者によって操作される。リモコン１１による操作信号はキー入力処理部１２において解析されて操作信号に対応した制御信号が出力される。設定処理部１３は、リモコン１１によるチャンネルのスキップ情報の設定操作があると、その操作信号をキー入力処理部１２から受信すると、映像出力部１９に設定画面を表示させ、視聴者がその設定画面に基づいてリモコン１１の操作によりスキップするチャンネルを設定すると、それをキー入力処理部１２を介して取り込んでプリセット情報保存部１４に保存する。
【００１３】
選局処理部１５は、視聴者がリモコン１１の操作により見たいチャンネルを特定すると、その情報をキー入力処理部１２を介して取り込んでチューナー１６に選局信号を出力し、チューナー１６ではその選局信号に対応したチャンネルが設定される。チューナー１６は例えばアンテナ（図示せず）と接続されており、アンテナは、周波数変換器を備え、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナーに出力する。チューナー１６は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。映像音声処理部１８は、デマルチプレクサ、ビデオデコーダ、オーディオデコーダ等を内蔵しており、前記トランスポート・ストリームを、デマルチプレクサにより例えばＭＰＥＧ２（Ｍｏｖｉｎｇ Ｐｉｃｔｕｒｅ Ｅｘｐｅｒｔｓ Ｇｒｏｕｐ２）のビデオストリーム及びオーディオストリーム等に分離し、ビデオストリームをビデオデコーダにより処理して、入力された可変長符号を復号して量子化係数や動きベクトルを求め、逆ＤＣＴ変換や動きベクトルに基づく動き補償制御等を行って映像出力部１９に出力する。映像出力部１９は映像音声処理部１８からの映像信号に基づいて表示装置２１に表示させる映像信号を生成するものであり、例えばスケーラ−／ＯＳＤ（オンスクリーンデイスプレイ）処理回路、フレームメモリ等を内蔵しており、例えばフレームメモリにフレーム毎にフレーム画像を生成し、そのフレーム画像（映像信号）を読み出してＤ／Ａ変換を行い、例えばコンポジット映像信号に変換して表示装置２１に出力し、表示装置２１はその映像信号によるＴＶ映像等を表示する。
【００１４】
また、映像音声処理部１８のオーディオストリームについては、ビデオデコーダが入力された符号化信号を復号して音声信号（音声データ）を生成して音声出力部２０に出力し、音声出力部２０はその音声信号をＤ／Ａ変換し、例えば右（Ｒ）音のアナログ信号及び左（Ｌ）音のアナログ信号を生成して増幅して、スピーカー２２に出力することでスピーカー２２から音声が得られる。
【００１５】
ＥＰＧ情報処理部１７は、視聴者がリモコン１１の操作により電子番組を表示する操作をすると、その操作信号をキー入力処理部１２を介して取り込んで、チューナー１６から出力されるトランスポート・ストリームからＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）の内の電子番組表に関する情報を取り込んで映像出力部１９に出力する。なお、この電子番組表に関する情報の取得については映像音声処理部１８のデマルチプレクサから取り込むようにしてもよい。映像出力部１９は内蔵したＯＳＤ処理回路により例えば既に表示装置２１に表示されている映像に上書きするような形式で電子番組表の映像信号を生成し、それを表示装置２１に表示させる。
【００１６】
以上のようにして、視聴者がリモコン１１を操作してチャンネルを選択し、その選局信号がキー入力処理部１２及び選局処理部１５を介してチューナー１６に送信され、チューナー１６により選局されたチャンネルに相当するトランスポンダが選択されて、それが映像音声処理部１８を介して映像出力部１９及び音声出力部２０にそれぞれ送信される。映像出力部１９は上述の信号処理を施して表示装置２１に該当するチャンネルの映像を表示させる。また、音声出力部２０はスピーカー２２に該当するチャンネルの音声を出力させる。
【００１７】
図２はリモコン１１の正面図であり、これには、ダイレクト選局ボタン（数値キー）１１ａ、アップダウン選局ボタン１１ｂ、ＥＰＧボタン１１ｃ、シフトボタン１１ｄ等の各種ボタンを備えており、キー入力処理部１２はそのリモコン１１の操作信号を取り込んで、その操作信号に対応した信号を例えば設定処理部１３、ＥＰＧ情報処理部１７及び選局処理部１５にそれぞれ出力する。
【００１８】
図３はプリセット情報保存部１４に格納されたプリセット情報のテーブルである。このテーブルは、チャンネル番号、局名及びスキップ設定から構成されており、各チャンネルに対応してスキップを「する」又は「しない」を設定する。この設定に際しては、設定処理部１３はリモコン１１の操作信号をキー入力処理部１２を介して取り込んで、スキップ設定のための入力画面を表示させるための映像信号（又は指令）を映像出力部１９に出力し、映像出力部１９により設定画面を表示装置２１に表示させる。この表示態様としては、例えば図３のプリセット情報保存部１４のプリセット情報のテーブルを取り込んでそのまま表示させる。視聴者はその表示装置２１に表示されたテーブルのスキップ設定のコラムを例えばシフトボタン１１ｄにより操作して「しない」又は「する」を設定する。なお、プリセット情報保存部１４に格納されたプリセット情報のテーブルのスキップ設定の初期値は例えば「しない」に設定しておくものとし、視聴者の嗜好に応じてその設定を変更するようにする。なお、図３のテーブルの各チャンネルは便宜上１〜Ｎのアドレスｎを持っているものとする。
【００１９】
図４は視聴者がリモコン１１の例えばダイレクト選局ボタン１１ａを操作してチャンネルを選択してＴＶ映像が表示装置２１に表示されている状態において、リモコン１１のＥＰＧボタン１１ｃを操作したときのＥＰＧ情報処理部１７の処理を示したフローチャートである。
【００２０】
ＥＰＧ情報処理部１７は、現在のチャンネル番号をチューナー１６から取得し（Ｓ１１）、プリセット情報保存部１４に設定されているプリセット情報のテーブル（図３参照）を参照して、そのチャンネルにスキップ設定がなされているどうかを判断する（Ｓ１２）。スキップ設定がいない場合には該当するチャンネルのＥＰＧデータをチューナー１６から受信する（Ｓ１３）。次に、ＥＰＧ情報処理部１７は１画面分の処理が終了したかどうかについて判断する（Ｓ１４）。この１画面分の処理が終了したかどうかの判断は、例えば１画面に４チャンネル分の番組を表示するように設定されている場合には、４チャンネル分のＥＰＧデータを取り込んだ段階で１画面分の処理が終了したことになる。ここではまだ１チャンネル分のＥＰＧデータしか取り込んでないので、次のチャンネルを選択する処理をする。ここで、現在選択されているチャンネルのアドレスをｎとすると、そのアドレスをｎ＝ｎ＋１、とインクリメントし（Ｓ１５）、そのアドレスｎがチャンネルの総数Ｎを超えているかどうかを判断し（Ｓ１６）、そのアドレスｎがチャンネルの総数Ｎを超えていない場合には上記のインクリメントされたアドレスｎに対応したチャンネルを特定することになる。また、そのアドレスｎがチャンネルの総数Ｎを超えた場合には、上記のｎをｎ＝１、と設定して上記のプリセット情報のテーブルの最初にリストされているチャンネルを特定し（Ｓ１７）、上記のプリセット情報のテーブルの最終にリストされているチャンネルを含めても所定数のチャンネルの電子番組表が表示できない場合には最初の方にリストされているチャンネルの電子番組表も併せて表示されるように処理する。
【００２１】
そして、上記の処理（Ｓ１２）以降を繰り返し、プリセット情報保存部１４に設定されているプリセット情報のテーブルを参照して、そのチャンネルにスキップ設定がなされているという判断した場合にはそのチャンネルのＥＰＧデータを取り込まずに、次のチャンネルを選択し（Ｓ１５〜１７）、スキップ設定がなされていないチャンネルがあるとそのチャンネルのＥＰＧデータを受信し（Ｓ１３）、ＥＰＧ情報処理部１７は１画面分の処理を終了すると、映像出力部に１画面分の電子番組表のＥＰＧデータに出力し、表示装置に１画面分の電子番組表を表示させる（Ｓ１８）。
【００２２】
図５（Ａ）は１画面分の電子番組表の表示例を示したものである。図３のプリセット情報のテーブルにおいて、チャンネル１５１、１５３がスキップ設定されているのでそのチャンネルは表示されず、この例では、チャンネル１５０、１５２、１５４及び１５５の各チャンネルの電子番組表が表示される。
【００２３】
図５（Ｂ）は参考例として示したものであり、スキップ設定がなされていない状態の１画面分の電子番組表の表示例を示したものであり、図３のプリセット情報のテーブルの若いチャンネル番号から順に４個のチャンネルの電子番組表が表示される。
【００２４】
図６は図５（Ａ）の電子番組表が表示されている状態でチャンネルをスクロールする際のＥＰＧ情報処理部１７の処理のフローチャートである。
ＥＰＧ情報処理部１７は、リモコン１１の操作があったかどうかを判断する（Ｓ２１）。操作がなかった場合にはそのまま終了する。このリモコン１１の操作は例えばアップダウン選局ボタン１１ｂ、シフトボタン１１ｄ等の何れでもよいが、ここではシフトボタン１１ｄの場合を例に説明する。シフトボタン１１ｄの操作は左右のいずれのボタン１１ｄ（ｌ），１１ｄ（ｒ）であるかを判断し（Ｓ２２）、左のシフトボタン１１ｄ（ｌ）の場合には、現在表示されされている電子番組表の内、１番若いアドレスｎYのチャンネルｎを特定し、ｎ＝ｎY−１とし（Ｓ２３）、そして、ｎ＜１であるかどうかを判断し（Ｓ２４）、ｎ＜１である場合、即ちｎがプリセット情報のテーブルからはみ出した場合にはｎ＝Ｎと設定する（Ｓ２４）。ｎ＜１でない場合にはｎの値をそのままにし、これらのアドレスｎのチャンネルにスキップ設定がなされているどうかを判断し（Ｓ２６）、仮にスキップ設定がなされている場合には、ｎ＝ｎ−１と設定し（Ｓ２７）、上記の処理（Ｓ２４〜Ｓ２６）を繰り返し、スキップ設定がなされていない場合には、このアドレスｎに相当するチャンネルのＥＰＧデータをチューナー１６から受信し（Ｓ２８）、そのチャンネルを含めて所定チャンネル分の電子番組表を表示装置２１に表示させる（Ｓ２９）。この場合には先に表示されていた電子番組表の内、１番大きなアドレスのチャンネルの電子番組表は表示されないことになり、電子番組表の表示は小さなアドレスのチャンネル側にシフトすることになる。
【００２５】
ＥＰＧ情報処理部１７は、シフトボタン１１操作が右のシフトボタン１１ｄ（ｒ）の場合には、現在表示されている電子番組表の内、１番大きなアドレスｎのチャンネルｎOを特定し、ｎ＝ｎo＋１とし（Ｓ３０）、そして、ｎ＞Ｎであるかどうかを判断し（Ｓ３１）、ｎ＞Ｎである場合、即ちｎがプリセット情報のテーブルからはみ出した場合にはｎ＝１と設定する（Ｓ３２）。ｎ＞Ｎでない場合にはｎの値をそのままにし、これらのアドレスｎに相当するチャンネルにスキップ設定がなされているどうかを判断し（Ｓ３３）、仮にスキップ設定がなされている場合には、ｎ＝ｎ＋１と設定し（Ｓ３４）、上記の処理（Ｓ３１〜Ｓ３３）を繰り返し、スキップ設定がなされていない場合には、このアドレスｎに相当するチャンネルのＥＰＧデータをチューナー１６から受信し（Ｓ３５）、そのチャンネルを含めて所定チャンネル分の電子番組表を表示装置２１に表示させる（Ｓ３６）。この場合には先に表示されていた電子番組表の内、１番小さなアドレスのチャンネルの電子番組表は表示されないことになり、電子番組表の表示は大きなアドレスのチャンネル側にシフトすることになる。
【００２６】
図７は図６のフローチャートの操作と電子番組表の表示態様を示した説明図である。例えば図５（Ａ）に示されるようにチャンネル１５０、１５２、１５４、１５５の電子番組表が表示されている状態において、左のシフトボタン１１ｄ（ｌ）を操作した場合には、チャンネル１４９、１５０、１５２、１５４の電子番組表が表示され、チャンネル１５５の番組表示は消えることになる。また、右のシフトボタン１１ｄ（ｒ）を操作した場合には、チャンネル１５２、１５４、１５５、１５６の電子番組表が表示され、チャンネル１５０の番組表示は消えることになる。
【００２７】
図８はリモコン１１のアップダウン選局ボタン１１ｂの操作により選局処理部１５がチャンネルを切り替えるときの処理を示したフローチャートであり、図９はその操作と選局との関係を示した説明図である。
【００２８】
選局処理部１５はリモコン１１のアップダウン選局ボタン１１ｂの操作があったかどうかを判断し（Ｓ４１）、操作があった場合にはそれがダウンボタン（ＣＨ−）なのかアップボタン（ＣＨ＋）なのかを判断する（Ｓ４２）。操作したアップダウン選局ボタン１１ｂがダウンボタン（ＣＨ−）の場合は現在のチャンネルのアドレスｎ−１＝ｎとして（Ｓ４３）、それがｎ＜１であるどうかを判断し（Ｓ４４）、ｎ＜１であると判断すると、プリセット情報保存部のプリセット情報のテーブルから外れていることになるので、ｎ＝Ｎと設定して、アドレスｎ＝１の後にアドレスｎ＝Ｎを繋げる（Ｓ４５）。そして、上記の処理（４４）及び（Ｓ４５）の後に、そのアドレスｎのチャンネルにスキップ設定がなされているかどうかをプリセット情報保存部１４のプリセット情報のテーブルを参照して判断し（Ｓ４６）、仮に、そのチャンネルにスキップ設定がなされている場合には、アドレスｎ−１＝ｎ、として（Ｓ４７）、上記の処理を繰り返して該当するチャンネルにスキップ設定がなされていない場合に、そのチャンネルを設定することになる（Ｓ４８）。例えば図９において、チャンネル１５２が選局されている状態で、ダウンボタン（ＣＨ−）を操作すると、選局処理部１５は、上記のように処理をしてチャンネル１５０を設定する。更に、ダウンボタン（ＣＨ−）が操作されると、選局処理部１５は、上記のように処理をしてチャンネル１４９を設定する。
【００２９】
また、上記の判断（Ｓ４２）で操作したアップダウン選局ボタン１１ｂがアップボタン（ＣＨ＋）であった場合には、現在のチャンネルのアドレスｎ＋１＝ｎとし（Ｓ４９）、それがｎ＞Ｎであるどうかを判断し（Ｓ５０）、ｎ＞Ｎであると判断すると、プリセット情報保存部１４のプリセット情報のテーブルから外れていることになるので、ｎ＝１と設定して（Ｓ５１）、アドレスｎ＝Ｎの後にアドレスｎ＝１を繋げる。そして、上記の処理（Ｓ５０）及び（Ｓ５１）の後に、そのアドレスｎのチャンネルにスキップ設定がなされているかどうかをプリセット情報保存部１４のプリセット情報のテーブルを参照して判断し（Ｓ５２）、仮に、そのチャンネルにスキップ設定がなされている場合には、アドレスをインクリメントしてｎ＋１＝ｎとし（Ｓ５３）、上記の処理（Ｓ５０）（Ｓ５１）を繰り返す。そして、該当するチャンネルにスキップ設定がなされていない場合には、そのチャンネルをチューナー１６に設定することになる（Ｓ４８）。例えば図９において、チャンネル１５２が選局されている状態で、アップボタン（ＣＨ＋）を操作すると、選局処理部１５は、上記のように処理をしてチャンネル１５３をスキップし、チャンネル１５４を設定する。更に、アップボタン（ＣＨ＋）が操作されるとチャンネル１５５を設定する。
【００３０】
以上のように本実施形態１においては、スキップ設定がなされていないチャンネルの電子番組表に絞って表示するようにしており、例えば視聴者の興味のないチャンネルについては前記プリセット情報保存部にスキップ設定をしておくことにより、視聴者の興味がないチャンネルについてはスキップし、興味のあるチャンネルだけを電子番組表に表示するようにしており、このため、スクロール操作の操作量が少なくて済む。また、ＥＰＧ情報処理部１７は、表示装置２１に表示されているチャンネルを含めて所定数のチャンネルの電子番組表を表示装置２１に表示させるようにしており、このため、現在映像が表示されているチャンネル（受信チャンネル）に隣接したチャンネルの電子番組表の内容を把握することができる。また、ＥＰＧ情報処理部１７は、表示装置２１にチャンネルの電子番組表が表示されている状態で、リモコン１１によるスクロール操作があると、リモコン１１の操作信号に応じて、プリセット情報保存部１４にスキップ設定がなされていないチャンネルを選択し、表示装置２１に電子番組表を表示させるようにしており、リモコン１１の操作によって電子番組表をスクロールすることができる。その際に視聴者の興味がないチャンネルについては表示されないので操作量が少なくて済む。
【００３１】
また、ＥＰＧ情報処理部１７は、電子番組表を表示装置２１に表示されているチャンネルの映像上に表示させるようにしており、現在のチャンネルの映像内容を把握しつつ、電子番組表の内容を確認することができる。また、設定処理部１３は、リモコン１１によるチャンネルのスキップ情報の設定操作があると、リモコン１１によるスキップ情報の入力を表示装置２１に表示させるとともに、プリセット情報保存部１４に設定するようにしているので、視聴者にとって所望のスキップ情報を簡単に設定することが可能になっている。
【００３２】
また、選局処理部１５は、リモコン１１によるアップダウン選局操作があると、アップ又はダウンの操作信号に応じて、プリセット情報保存部１４にスキップがなされていないチャンネルを選択してチューナー１６に設定しており、スキップ設定されたチャンネルをスキップし、スキップ設定されていないチャンネルを選局するので、視聴者にとって操作性に優れたものとなっている。
【００３３】
なお、上記の実施形態においては操作手段の例としてリモコンを用いた例について説明したが、リモコンに代えて又はそれとともに、デジタルテレビジョン装置の本体に取付けられているキー又はボタン等を用いてもよい。また、上記の実施形態においては電子番組表を表示する際のチャンネル数を４個とした例について説明したが、その個数は任意の個数でよく、表示装置の画面の大きさに応じて設定するようにしてもよい。更に、本発明に係るデジタルテレビジョン装置は従前の機能を排除するものではなく、従前の機能に加えて上記の実施形態の機能を併せ持つようにしてもよい。
【図面の簡単な説明】
【００３４】
【図１】本発明の実施形態１に係るデジタルテレビジョン装置の構成を示すブロック図。
【図２】リモコンの正面図。
【図３】リセット情報保存部に格納されたプリセット情報のテーブル。
【図４】ＥＰＧ情報処理部の処理を示したフローチャート。
【図５】１画面分の電子番組表の表示例（（Ａ）は本発明の例、（Ｂ）は参考例）。
【図６】ＥＰＧ情報処理部の他の処理を示したフローチャート。
【図７】図６のフローチャートの操作と電子番組表の表示態様を示した説明図。
【図８】選局処理部の処理を示したフローチャート。
【図９】アップダウン選局ボタンの操作と選局との関係を示した説明図。
【符号の説明】
【００３５】
１１ リモコン、１１ｂ アップダウン選局ボタン、１１ｃ ＥＰＧボタン、１１ｄ シフトボタン、１２ キー入力処理部、１３ 設定処理部、１４ プリセット情報保存部、１５ 選局処理部、１６ チューナー、１７ ＥＰＧ情報処理部、１８ 映像音声処理部、１９ 映像出力部、２０ 音声出力部、２１ 表示装置、２２ スピーカー。
【図１】
2006197083.tif 000003
【図２】
2006197083.tif 000004
【図３】
2006197083.tif 000005
【図４】
2006197083.tif 000006
【図５】
2006197083.tif 000007
【図６】
2006197083.tif 000008
【図７】
2006197083.tif 000009
【図８】
2006197083.tif 000010
【図９】
2006197083.tif 000011